(57)【要約】【課題】この発明は、簡易な構成で、安定した給電を実現し得、且つ、持ち易く優れた握持操作性を実現し得るようにすることにある。【解決手段】釣竿２０に取付けられるリール本体１０にバッテリ接続部１６を設けて、このバッテリ接続部１６に対してバッテリ３０のケース本体３１に突設した接続コネクタ３４を電気的に接続した状態で、そのケース本体３１をリール本体１０に吊着すると共に、その外形形状を、リール本体１０及び釣竿２０を保持する手の指１００との間に指置き空間Ｘが形成可能な形状に形成するように構成した。【選択図】      図２
2006262783.tif 000002
【特許請求の範囲】
【請求項１】
魚釣用リールの給電接続部に電気的に接続される接続コネクタが設けられ、該接続コネクタが前記給電接続部に接続固定された給電状態で、前記魚釣用リールのリール本体及び前記釣竿を保持する手の指との間に指置き空間を形成する外形形状のケース本体を有したバッテリを具備することを特徴とする魚釣用リールの給電装置。
【請求項２】
前記ケース本体は、略多角柱形状に形成され、前記リール本体及び前記釣竿を保持した手の指が近接する該ケース本体の面側を、前記釣竿の長手方向に対して傾斜させて配置し、前記指置き空間を形成したことを特徴とする請求項１記載の魚釣用リールの給電装置。
【発明の詳細な説明】
【技術分野】
【０００１】
この発明は、例えば魚釣用リールの給電接続部に電力を供給するバッテリを備える魚釣用リールの給電装置に関する。
【背景技術】
【０００２】
最近、船釣等の深場あるいは沖合いでの釣においては、釣糸が巻回されるスプールを駆動用モータで駆動するいわゆる電動式の魚釣用リールが多く使用されている。このような電動リールのスプール駆動用モータに給電する手段としては、バッテリ装置を釣り位置から離れた場所に設置し、長い給電コードを用いてスプール駆動用モータの内蔵されるリール本体に設けたバッテリ接続部に対して電力を給電する方式が採られている。
【０００３】
ところが、このような長い給電コードを介して、魚釣用リールとこれから遠く離れたバッテリ装置とを接続する場合には、長い給電コード自体が邪魔になることに加え、魚の当たりを待ったり、あるいは誘い操作や魚の取込み操作の際に、その長い給電コードで釣竿の動きが制約され、誘い操作や魚の取込み操作等を思い通りに自由に行うことができず、操作性が劣るという不都合を有する。
【０００４】
そこで、電動式魚釣用リールのスプール駆動用モータに給電する手段には、電池を釣り竿内に収容配置し、この電池からの電力を釣竿に設けたスイッチの操作により、リールの給電部に供給するようにしたり（例えば、特許文献１参照、）、竿尻に電池装着部を設けて、この電池装着部に電池を取付け、この電池からの電力をリールの給電部に供給するようにしてコードレス化を図るようにした構成のものが提案されている（例えば、特許文献２参照。）。
【０００５】
また、電池ボックスをリール本体後部に装着し、この電池ボックスに収容した電池からの電力をリール本体の給電部に給電するように構成したものも提案されている（例えば、特許文献３参照。）。
【特許文献１】実開昭４７−３７５８８号公報
【特許文献２】実開平５−７５２６７号公報
【特許文献３】実公平８−３２６９号公報
【発明の開示】
【発明が解決しようとする課題】
【０００６】
しかしながら、上記特許文献１の構成では、専用の釣竿を用意しなければならないうえ、竿自体が大型されるという不都合を有する。
【０００７】
そして、特許文献２の構成では、電池装着部を竿尻に設けているために、釣り操作の際に電池装着部に取付けたバッテリケースが邪魔となり、釣り操作性が低下されるという不都合を有する。
【０００８】
また、特許文献３の構成では、電池ボックスがリール本体後端に配されるために、釣り操作時におけるリール本体の握持位置に制約を受けることで、釣り操作性が低下されるという不都合を有する。
【０００９】
この発明は、上記の事情に鑑みてなされたもので、簡易な構成で、安定した給電を実現し得、且つ、持ち易く優れた釣り操作性を実現し得るようにした魚釣用リールの給電装置を提供することを目的とする。
【課題を解決するための手段】
【００１０】
この発明の魚釣用リールの給電装置は、魚釣用リールの給電接続部に電気的に接続される接続コネクタが設けられ、該接続コネクタが前記給電接続部に接続固定された給電状態で、前記魚釣用リールのリール本体及び前記釣竿を保持する手の指との間に指置き空間を形成する外形形状のケース本体を有したバッテリを備えて構成した。
【００１１】
上記構成によれば、バッテリは、その接続コネクタが魚釣用リールの給電接続部に給電可能に接続固定されると、そのケース本体と釣竿との間に指置き空間が形成され、この指置き空間を利用して魚釣用リールのリール本体及び釣竿を握持することが可能となる。従って、魚釣用リールに接続固定したバッテリに影響されることなく、魚釣用リールのリール本体及び釣竿の握持形態の自由度が高められて、誘い操作や魚の取込み操作等の所望の釣り操作を思い通りに自由に行うことが可能となる。
【発明の効果】
【００１２】
以上述べたように、この発明によれば、簡易な構成で、安定した給電を実現し得、且つ、持ち易く優れた釣り操作性を実現し得るようにした魚釣用リールの給電装置を提供することができる。
【発明を実施するための最良の形態】
【００１３】
以下、この発明の実施の形態について、図面を参照して詳細に説明する。
【００１４】
図１及び図２は、この発明の第１の実施の形態に係る魚釣用リールの給電装置を示すもので、図１は、バッテリ吊着状態を側面から見た状態を示し、図２は、バッテリ吊着状態を下面から見た状態を示す。
【００１５】
即ち、バッテリ３０を吊着する電動式魚釣用リールは、リール本体１０に回転可能に支持されたスプールＳと当該スプールＳを回転駆動させるリール本体１０の収容部１０ａ内に収納される図示しないスプール駆動用モータを備え、バッテリ３０から得た電力によって上記スプール駆動用モータ（図示せず）を駆動させるようになっている。電動式魚釣用リールを構成するリール本体１０には、その左及び右側板部１０１，１０２間に上記スプールＳが駆動自在に配置される。このスプールＳは、例えばリール本体１０の右側板部１０２側に配されるハンドル１１の回転操作、あるいは上記スプール駆動用モータ（図示せず）の駆動力により駆動制御されて、釣糸の巻回が行われる。
【００１６】
また、リール本体１０には、上記スプール駆動用モータ（図示せず）及びマイクロコンピュータで構成される図示しない制御部が内装されると共に、その上面部に表示部１２及び操作部１３が設けられる。そして、このリール本体１０の下面部には、図示しない取付脚が、釣竿２０のリールシート２１に対応して一体的に設けられ、この取付脚（図示せず）を介してリールシート２１に装着されて釣竿２０にリール本体１０が取付けられる。
【００１７】
そして、リール本体１０のハンドル１１が装着された右側板部１０２と反対側の左側板部１０１の下面前方には、延出部１０３が下方側に突出して設けられ、この延出部１０３には、給電接続部を構成するバッテリ接続部１６が、その接続開口を下方に向けて突設して配置される。これら右側板部１０２と左側板部１０１は、フレーム１０４によって連結されている。
【００１８】
バッテリ接続部１６には、外周に螺子の設けられた防水構造の口金部１７が突設され、この口金部１７内には、例えば一対のピン形の凸状接続端子１７２が後述するバッテリ３０の接続コネクタ３４に対応して設けられる（図２参照）。このバッテリ接続部１６の凸状接続端子１７２は、上記リール本体１０に配される制御部（図示せず）を介してスプール駆動用モータ（図示せず）及び表示部１３に電気的に接続され、該バッテリ接続部１６に対して、上記バッテリ３０の接続コネクタ３４が装着されると、詳細を後述するように接続コネクタ３４の凹状接続端子３４１に電気的に接続されて、該バッテリ３０を介して給電される。
【００１９】
ここで、バッテリ接続部１６は、その接続開口が上述したように釣竿２０の竿軸に対して直交する方向に下向きに突設配置され、その口金部１７内において封止構造に設けられることで、これら口金部１７及びその周辺部からリール本体１０内に水等の流体が浸入するのを防止する、いわゆる液密構造に構成されている。
【００２０】
また、バッテリ接続部１６には、例えば非導電性樹脂材料製の弾性腕部１８の基端部が弾性変形自在に支持され、この弾性腕部１８の先端には、保護キャップ１８１が上記口金部１７に対応して設けられる。これにより、リール本体１０は、使用しない場合、そのバッテリ接続部１６の口金部１７に対して保護キャップ１８１を装着することで、その口金部１７及び凸状接続端子１７２の保護が可能となる。
【００２１】
また、上記リール本体１０のバッテリ接続部１６に吊着されるバッテリ３０は、例えばケース本体３１が、収容部３１１と蓋部３１２で構成される。このケース本体３１には、例えば合成樹脂材料で、その上方から底面方向に指置き空間Ｘを形成する傾斜面３１４（図２及び図３参照）が一辺に設けられた略多角柱形状に形成され、その内部に、図示しない電池本体及び充放電制御用制御部が収容されて収容部３１１と蓋部の相互間が接着や溶着等で接合され、密閉構造に合体される。上記電池本体としては、例えば正極にコバルト酸リチウム、ニッケル酸リチウム，マンガン酸リチウム等のリチウムを含む化合物、その負極にリチウムを含まない炭素材料を電解液にリチウム塩を有機溶媒に溶かしたリチウムイオン電池で構成される。
【００２２】
即ち、上記ケース本体３１の蓋部３１２には、筒状部３１３が上記ケース本体３１の上面（取付け面）の略中央部に設けられる。この筒状部３１３は、その内部が上方に開口する取付け穴形状に形成され、この筒状部３１３の取付け穴に上記制御部（図示せず）に電気的に接続される接続コネクタ３４の基端部側が接着剤等を介して上記リール本体１０のバッテリ接続部１６に対応して封止固定されると共に、接続コネクタ３４が、その支持部を構成する筒状部３１３を介して上方へ向けて突設される。これにより、接続コネクタ３４は、ケース本体３１内に液密状態で位置決めされて固定され、しかも、堅牢に組付けることが可能となる。
【００２３】
接続コネクタ３４は、例えば可撓性を有する非導電性の樹脂材料で形成され、いわゆるソケット型コンセントを構成する一対の凹状接続端子３４１（図２参照）が設けられる。この凹状接続端子３４１は、その基端において、上記制御部（図示せず）に電気的に接続される。ここで、接続コネクタ３４は、ケース本体３１の内側面に液密状態で接着により固定されて取付けられた状態で、その先端部側が筒状部３１３から直接突出され、その凹状接続端子３４１が上記制御部（図示せず）に電気的に接続されることで、その配線系統の保護が図れて、上記リール本体１０のバッテリ接続部１６への繰り返し着脱操作を安定して行うことが可能となる。
【００２４】
また、上記蓋部３１２の筒状部３１３には、接続コネクタ３４とリール本体１０のバッテリ接続部１６を接続した時の連結保持手段を構成する、例えばナット部材３７が、接続コネクタ３４の周囲を囲むように回転自在に抜止めされて設けられる。このナット部材３７には、その上端部に鍔状の操作部３７１が設けられ、その下端部が上記接続コネクタ３４の中間部に回転自在に支持される。
【００２５】
ナット部材３７は、接続コネクタ３４と別体に形成され、該接続コネクタ３４が上記リール本体１０のバッテリ接続部１６に吊着された状態で、その操作部３７１が回転操作されて上記リール本体１０のバッテリ接続部１６の口金部１７の螺子に螺合されて締付け操作されると、その下端部が接続コネクタ３４の中間部に係合されていることで、その側壁が蓋部３１２の筒状部３１３に沿ってリール方向に移動案内される。そして、このナット部材３７は、さらにリール方向の移動に連動して接続コネクタ３４をリール方向に押圧してバッテリ接続部１６に差し込まれ確実に電気的に接続した状態で、上記バッテリ接続部１６の口金部１７の螺子への螺合が完了され、リール本体１０にバッテリ３０が取付けられる。
【００２６】
この際、ナット部材３７は、内側に接続コネクタ３４が挿通されており、その下端部が、接続コネクタ３４の中間部に回転自在に係合されていることにより、ケース本体３１からの抜けが防止されて、該ケース本体３１のリール本体１０への確実な吊着を実現して、該リール本体１０からの離脱を防止する。同時に、ナット部材３７は、接続コネクタ３４とバッテリ接続部１６が接続された状態で、両者間の接続部となるバッテリ接続部１６の接続開口の周囲を覆って口金部１７の螺子に螺合されることで、ケース本体３１の接続コネクタ３４との間の液密構造を維持しつつ強固な一体構造に連結されて、このバッテリ接続部１６からリール本体１０内に水が浸入するのを防止する。
【００２７】
上記ケース本体３１の接続コネクタ３４を介して給電されるリール本体１０は、そのバッテリ接続部１６に電力が供給されると、上記マイクロコンピュータで構成される制御部（図示せず）が上記スプール駆動用モータ（図示せず）を駆動制御して、上記スプール１１の回転速度が制御され、釣糸の巻取り速度が制御される。同時に、上記制御部（図示せず）は、表示部１３を作動制御する。
【００２８】
ここで、上記バッテリ３０は、その上部側の接続コネクタ３４を有するバッテリ３０の給電部側が、ナット部材３７を介してリール本体２０に支持されてケース本体３１の底部側が自由端として開放された、いわゆる吊着構造に取付けられる。このリール本体１０への取付け状態において、ケース本体３１は、略多角柱形状に形成され、その一辺が傾斜面３１４に形成されており、その接続コネクタ３４を、リール本体１０のバッテリ接続部３４に回転止め装着固定することで、その傾斜面３１４が、釣竿２０の長手方向（竿軸方向）に対して直交する方向に位置規制（接続コネクタ３４側の回転止め凹部３４ａと、バッテリ接続部１６側の回転止め凸部１６ａの係合位置と傾斜面３１４との位置関係）されて、釣竿２０及びリール本体１０との間に握持保持する手の指１００（人指し指）の保持スペースの自由度を確保する指置き空間Ｘを形成する。この指置き空間Ｘを形成することで、この指置き空間Ｘより釣り人の手の指１００を差し込むことができて、バッテリ３０が邪魔となることなく、左側板部１０１及び釣竿２０の握持形態の自由度が高められ、誘い操作や魚の取込み操作等の所望の釣り操作を思い通りに自由に行うことが可能となる。
【００２９】
このようにケース本体３１のリール本体１０への吊着状態において、釣り人は、その左手１００の指をリール本体１０の左側板部１０１とバッテリ３０のケース本体３１との間の指置き空間Ｘに差し込んで所望の位置に移動させてリール本体１０の左側板部１０１と共に、釣竿２０を握持し、竿操作が行われる。
【００３０】
また、釣途中において、ケース本体３１内の電気エネルギが消耗した場合には、上記吊着動作と略逆の操作を行ってバッテリ３０をリール本体１０から離脱させ、その後、予め用意して置いた充電
済みの新たなものと、交換使用することにより、長時間にわたるリール使用が容易に可能である。この際、新たなバッテリ３０においても、同様にリール本体１０の傾斜面との間に指置き空間Ｘが設けられることで、同様に容易な握持操作を行うことができる。
【００３１】
このように、上記魚釣用リールの給電装置は、釣竿２０に取付けられるリール本体１０にバッテリ接続部１６を設けて、このバッテリ接続部１６に対してバッテリ３０のケース本体３１に突設した接続コネクタ３４を回り止め装着して電気的に接続した状態で、そのケース本体３１をリール本体１０に吊着すると共に、そのケース本体３１の外形形状を、握持保持する手の指１００との間に指置き空間Ｘが形成可能な形状に形成するように構成した。
【００３２】
これによれば、バッテリ３０が、その接続コネクタ３４がリール本体１０のバッテリ接続部１６に接続されて吊着されると、そのケース本体３１と握持保持する手の指１００との間に指置き空間Ｘが形成され、この指置き空間Ｘを利用してリール本体１０及び釣竿２０を握持することが可能となり、吊着したバッテリ３０に影響されることなく、リール本体１０及び釣竿２０の握持形態の自由度が高められて、誘い操作や魚の取込み操作等の所望の釣り操作を思い通りに自由に行うことが可能となる。
【００３３】
なお、この発明は、上記実施の形態に限ることなく、その他、例えば図４に示すように構成することも可能で、同様の効果を期待することができる。但し、この図４においては、上記図１乃至図３と同一部分について同一符号を付して、その詳細な説明を省略する。
【００３４】
即ち、図４の実施の形態においては、バッテリ３０のケース本体３１ａを略直方体状に形成する。そして、このケース本体３１ａは、接続コネクタ３４をリール本体１０のバッテリ接続部１６に、その４つの角部を結ぶ対角線が釣竿２０の長手方向に対して略直交及び略平行になるように回り止め位置決め装着されてナット部材３６で、リール本体１０の口金部１７に螺合されて取付固定される。ここで、ケース本体１０は、その壁面（直方体の一面）と保持した手の指１００との間に指置き空間Ｘ１が形成され、この指置き空間Ｘ１を利用して握持した手１００の指を自由に動かすことで、所望の握持形態でリール本体１０及び釣竿２０を握持することができる。これにより、同様に握持形態の自由度が高められ、誘い操作や魚の取込み操作等の所望の釣り操作を思い通りに自由に行うことが可能となる。
【００３５】
さらに、上記各実施の形態では、左側板部１０１に延出部１０３を配したが、これを設けずに，バッテリ接続部１６を直接に左側板部１０１に設けてもよく、また、リール本体１０の右側板部１０２にハンドル１１を配し、左側板部１０１に握持空間を有してバッテリ３０を配するように構成した場合で説明したが、この配置構成に限ることなく、構成可能である。
【００３６】
また、上記各実施の形態では、バッテリ３０のケース本体３１（３１ａ）を四角柱形状に形成した場合で説明したが、これに限ることなく、その他、三角柱形状、五角柱形状等の多角注形状に形成して指置き空間Ｘ１が形成できるケース本体３１の形態に形成するようにすることで、略同様の効果を期待することができる。
【００３７】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３８】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３９】
【図１】この発明の第１の実施の形態に係る魚釣用リールの給電装置を示した断面図である。
【図２】図１のバッテリをリール本体から分離させた状態を示した一部断面図である。
【図３】図１を竿尻側から見た状態を示した平面図である。
【図４】図１を竿尻側から見た状態を示した一部断面図である。
【符号の説明】
【００４０】
１０…リール本体、１００…手、１０１…左側板部、１０２…右側板部、１０３…延出部、１１…ハンドル、１２…表示部、１３…操作部、１６…バッテリ接続部、１７…口金部、１７２…凸状接続端子、１８…弾性腕部、１８１…保護キャップ、２０…釣竿、２１…リールシート、３０…バッテリ、３１，３１ａ…ケース本体、３１１…収容部、３１２…蓋部、３１３…筒状部、３１４…傾斜面、３４…接続コネクタ、３４１…凹状接続端子、３７…ナット部材、３７１…操作部、Ｘ，Ｘ１…指置き空間。
【図１】
2006262783.tif 000003
【図２】
2006262783.tif 000004
【図３】
2006262783.tif 000005
【図４】
2006262783.tif 000006